(57)【要約】【課題】商品を象った立体物をＰＯＰディスプレイに用いる場合に、パネルと立体物とを両面テープや接着剤等で貼付する必要がなく、パネル及び立体物の組立やパネルと立体物との接続が簡便であり、接続時に立体物の方向を間違えることがなく、部品数も少なく取扱いが容易である広告宣伝媒体を提供する。【解決手段】立体物形成シートと、立体物形成シートに折目線を介して連続する立体物保持シートと、を含む単一の紙片で構成され、立体物形成シートが、広告すべき商品を象る立体物の展開図に相当する形状を有し、立体物保持シートが、立体物形成シートにより形成された立体物が第一の面側から挿入されて第二の面側に保持する開口部と、を具備すること、を特徴とする組立式立体広告具。【選択図】図１
0003152289.tif 000002
【実用新案登録請求の範囲】
【請求項１】
立体物形成シートと、前記立体物形成シートに折目線を介して連続する立体物保持シートと、を含む単一の紙片で構成され、
前記立体物形成シートが、広告すべき商品を象る立体物の展開図に相当する形状を有し、
前記立体物保持シートが、前記立体物形成シートにより形成された前記立体物が第一の面側から挿入されて第二の面側に保持する開口部と、を具備すること、
を特徴とする組立式立体広告具。
【請求項２】
前記立体物が直方体又は立方体であること、
を特徴とする請求項１に記載の組立式立体広告具。
【請求項３】
前記開口部が、前記立体物保持シートの面の法線方向から前記立体物を投影してみた場合に、前記立体物を示す図形と略同一の大きさ及び形状を有すること、
を特徴とする請求項１又は２に記載の組立式立体広告具。
【請求項４】
前記単一の紙片が、前記第二の面のみに印刷画像を有すること、
を特徴とする請求項１〜３のうちのいずれかに記載の組立式立体広告具。
【請求項５】
前記立体物形成シートが、組立後の前記組立式立体広告具が自立するための脚部シートと有すること、
を特徴とする請求項１〜４のうちのいずれかに記載の組立式立体広告具。
【請求項６】
前記立体物及び前記開口部が、前記折目線に対して線対称に傾斜していること、
を特徴とする請求項１〜５のうちのいずれかに記載の組立式立体広告具。
【請求項７】
前記立体物形成シートが、前記立体物に破断部分が形成されるように、破断線を有すること、
を特徴とする請求項１〜６のうちのいずれかに記載の組立式立体広告具。
【請求項８】
前記単一の紙片が、前記第一の面に印刷画像を有すること、
を特徴とする請求項１〜７のうちのいずれかに記載の組立式立体広告具。
【考案の詳細な説明】
【技術分野】
【０００１】
本考案は、商品を広告宣伝するために用いる広告宣伝媒体としての組立式立体広告具に関する。より具体的には、本考案は、店頭の商品陳列棚などに陳列して販売する商品の広告宣伝を行うために、当該商品を象った立体物を展示する組立式立体広告具に関する。
【背景技術】
【０００２】
従来、小売店の店頭等においては、商品陳列棚等に陳列された商品が顧客に目立つようにして顧客の販売意欲を刺激し、当該商品をできるだけ多く販売できるようにするために、例えば、商品を広告宣伝する文字、図形、記号や絵柄等を含む印刷画像表示を施した広告宣伝媒体を、陳列された商品の近くに配置する等、様々な広告宣伝媒体を用いた広告宣伝が行われている。
【０００３】
上記のような広告宣伝媒体としては、例えば、ＰＯＰ（Ｐｏｉｎｔ  ｏｆ  Ｐｕｒｃｈａｓｅ）という技法で描かれた種々の形態を有するＰＯＰディスプレイ等と呼ばれるものが広く普及しており、具体的には、卓上スタンド（立て具を使うか組み立てて立体にしたもの）や大型パネル（印刷物をパネルに貼ったもの）等が市場でよく見られるところである。
【０００４】
商品とともに上記のようなＰＯＰディスプレイを展示すれば、店頭に来た顧客は、店頭にどのような商品が陳列されているのかといった情報を即座に認識することができ、更に、当該商品に対して興味を持つ可能性が高まり、単に商品だけを陳列する場合に比べて販売促進効果が期待できるという利点がある。
【０００５】
なかでも、卓上スタンド型のＰＯＰディスプレイについては、例えば特許文献１において、販売促進効果を高め、更に、簡単な構造であって、安いコストにより広告宣伝する印刷画像表示部を曲面に表示できるようにした広告宣伝媒体の提供を意図した考案が提案されている（特許文献１、要約等参照）。
【先行技術文献】
【特許文献】
【０００６】
【特許文献１】実用新案登録第３１１９２７１号公報
【考案の概要】
【考案が解決しようとする課題】
【０００７】
しかしながら、上記特許文献１に記載の考案では、印刷画像表示部を曲面状にして立体的に表示することはできるものの、例えば商品そのものを象った立体物を展示することはできず、当該商品の顧客へのアピール度という観点からは未だ改善の余地があった。
【０００８】
これに対し、商品を象った立体物をＰＯＰディスプレイに用いる場合、小売店の店頭等では、例えば、パネルに当該立体物を両面テープや接着剤等で貼付すること等が行われているが、パネル及び立体物の組立やパネルと立体物との接続に手間がかかり、接続時に立体物の方向を間違えたり、部品が複数あって取扱いが煩雑であったりする等の問題があった（場合によっては、業者サイドで組み立てた後に店頭等に配置していた。）。
【０００９】
そこで、本考案の目的は、商品を象った立体物をＰＯＰディスプレイに用いる場合に、パネルと立体物とを両面テープや接着剤等で貼付する必要がなく、パネル及び立体物の組立やパネルと立体物との接続が簡便であり、接続時に立体物の方向を間違えることがなく、部品数も少なく取扱いが容易である広告宣伝媒体を提供することにある。
【課題を解決するための手段】
【００１０】
上記の課題を解決すべく、本考案は、
立体物形成シートと、前記立体物形成シートに折目線を介して連続する立体物保持シートと、を含む単一の紙片で構成され、
前記立体物形成シートが、広告すべき商品（又はそのパッケージ）を象る立体物の展開図に相当する形状を有し、
前記立体物保持シートが、前記立体物形成シートにより形成された前記立体物が第一の面側から挿入されて第二の面側に保持する開口部と、を具備すること、
を特徴とする組立式立体広告具を提供する。
【００１１】
上記立体物としては、広告すべき商品の形状に応じて種々選択することができるが、例えば、立方体、直方体、三角柱その他の多角柱、半円柱（蒲鉾型体）、円筒又は横断面が三角形状若しくは多角形状の筒（一端が閉じたものも含む。）、円錐、三角錐その他の多角錐等、単一の紙片で形成し得る種々の立体物を採用することができる。
【００１２】
このような構成を有する本考案の組立式立体広告具によれば、立体物形成シートにより形成された立体物（商品を象った立体物）を、立体物保持シートの開口部に嵌合すればよいだけであるため、両面テープや接着剤を用いる必要がなく両者の接続が簡便であり、立体物形成シートと立体物保持シートとが連続していることから、立体物の方向を間違えることがなく、また、単一の紙片で構成されているため、取扱いが容易である。
【００１３】
また、本考案の組立式立体広告具においては、前記開口部が、前記立体物保持シートの面の法線方向から前記立体物を投影してみた場合に、前記立体物を示す図形と略同一の大きさ及び形状を有すること、が好ましい。このような構成によれば、立体物形成シートにより形成された立体物（商品を象った立体物）を、立体物保持シートの開口部により確実に嵌合させることができる。
【００１４】
また、本考案の組立式立体広告具においては、前記単一の紙片が、前記第二の面側の面のみに印刷画像を有すること、が好ましい。本考案に係る組立式立体広告具は、立体物形成シートと立体物保持シートとが折目線を介して連続しており、当該折目線を折ることによって、立体物形成シートにより形成された立体物（商品を象った立体物）を立体物保持シートの開口部から第二の面側に臨ませて保持するため、このような構成を好適に採用することができ、印刷面を一面で済ませることができることから印刷工程の観点からメリットがある。
【００１５】
また、本考案の組立式立体広告具においては、前記立体物形成シートが、組立後の前記組立式立体広告具が自立するための脚部シートと有することが好ましい。このような構成によれば、本考案に係る組立式立体広告具を、卓上スタンド型のＰＯＰディスプレイとして好適に用いることができる。
【００１６】
また、本考案の組立式立体広告具においては、前記立体物及び前記開口部が、前記折目線に対して線対称に傾斜していることが好ましい。このような構成によれば、組立後の前記組立式立体広告具において、商品を象った立体物が顧客からみて斜めに傾斜しており、整然と商品が陳列されている店頭において顧客による注目度が高まるという期待が持てる。
【００１７】
さらにまた、本考案の組立式立体広告具においては、前記立体物形成シートが、前記立体物に破断部分が形成されるように、破断線を有してもよいし、また、前記単一の紙片が、前記第一の面に印刷画像を有していてもよい。このような構成によれば、さらに広告宣伝効果を高めることができるというメリットがある。
【考案の効果】
【００１８】
本考案の組立式立体広告具によれば、商品を象った立体物をＰＯＰディスプレイに用いる場合に、パネルと立体物とを両面テープや接着剤等で貼付する必要がなく、パネル及び立体物の組立やパネルと立体物との接続が簡便であり、接続時に立体物の方向を間違えることがなく、部品数も少なく取扱いが容易である広告宣伝媒体を実現することができる。
【図面の簡単な説明】
【００１９】
【図１】組立前の本考案の組立式立体広告具の一実施の形態の正面図である。
【図２】図１に示す組立式立体広告具の組立途中を示す斜視図である。
【図３】図１に示す組立式立体広告具の組立後を示す斜視図である。
【考案を実施するための最良の形態】
【００２０】
以下において、図面を参照しながら、本考案の組立式立体広告具の好適な一実施の形態について詳細に説明するが、本考案はこれらのみに限定されるものではない。なお、以下の説明では、同一又は相当部分には同一符号を付したり省略したりする場合があり、重複する説明を省略する場合もある。また、各図面は本考案を概念的に説明するためのものであって、表された各構成要素の寸法やそれらの比は実際のものとは異なる場合もある。
【００２１】
本実施の形態の組立式立体広告具１は、図１に示すように、立体物形成シート１０と、立体物形成シート１０に折目線（図１においては山折線）Ｘを介して連続する立体物保持シート１００と、を含む単一の紙片で構成されている。図示しないが、立体物形成シート１０及び立体物保持シート１００からなる単一の紙片は、第二の面Ｓ2のみに印刷画像を有する。
【００２２】
立体物形成シート１０は、直方体の展開図に相当する形状を有し、立体物保持シート１００は、立体物形成シート１０により形成された立体物２６（図２及び３を参照）が、折目線Ｘで折り返されることによって、挿入・保持される開口部１０８を具備する。
【００２３】
図１に示す立体物形成シート１０は、側面部１２、１４、１６、１８、２０及び２２と、挿入片部１２Ａ、１４Ａ、１４Ｂ、１８Ａ、１８Ｂ、１８Ｃ、２０Ａ及び２２Ａと、を有し、更に、立体物形成シート１０を立体物保持シート１００に連結するための連結部１１０を有する。側面部１２、１４、１６、１８、２０及び２２は、立体物形成シート１０により形成される直方体からなる立体物２６の６面に相当するものであり、山折線を介して互いに連続している。
【００２４】
挿入片部１２Ａ、１４Ａ、１４Ｂ、１８Ａ、１８Ｂ、２０Ａ及び２２Ａは、立体物形成シート１０により直方体からなる立体物２６を形成した場合に、それぞれ、対向する部分の隙間に挿入されて立体物２６の立体状態を保持するためのものであり、山折線を介して隣接する側面部に連続している。
【００２５】
挿入片部１２Ａは側面部１２に山折線を介して連続して設けられ、挿入片部１４Ａ及び１４Ｂは側面部１４に山折線を介して連続して設けられ、挿入片部１８Ａ、１８Ｂ及び１８Ｃは側面部１８に山折線を介して連続して設けられている。また、挿入片部２０Ａは側面部２０に山折線を介して連続して設けられ、挿入片部２２Ａは側面部２２に山折線を介して連続して設けられている。
【００２６】
そして、図１においては単に実線で示しているが、挿入片部１４Ａと側面部２０との間、挿入片部１４Ｂと側面部２２との間、挿入片部１８Ａと側面部２０との間、挿入片部１８Ｂと側面部２２との間には、立体物形成シート１０により立体物２６を形成することができるように、外側の一端が開放したスリット（切れ目）が形成されている。
【００２７】
また、立体物形成シート１０のうちの側面部１８には、挿入片部１８Ｃが連続して設けられており、側面部１２と挿入片部１２Ａとの間の辺の挿入片部１２Ａ側には、立体物形成シート１０の各山折線を山折りにして直方体からなる立体物２６を形成した場合に、挿入片部１８Ｃが挿入されて立体物２６の一の周方向において立体状態を保持することができるように、両端が閉じたスリット２４Ａが形成されている。また、側面部１２のうちのスリット２４Ａを有する辺に対向する辺（即ち、側面部１２と側面部１４との間の辺の側面部１４側には、スリット２４Ｂが形成されている。
【００２８】
本実施の形態におけるスリット２４Ａ及び２４Ｂは、それぞれ側面部１２の対向する二辺（側面部１２と挿入片部１２Ａ及び側面部１４との間に位置する二辺）上ではなく、側面部１２のやや外側（挿入片部１２Ａ及び側面部１４の側）に形成されていることから、当該二辺において側面部１２は外側に向けて僅かな凸状部分を有している。
【００２９】
また、側面部１２Ｂには、上記凸状部分を有する二辺とは異なる二辺のうち、図１に示す上側においては、破線を用いて示すように、折目線を介さずに連続する延長部分が設けられており、図１に示す下側においては、立体物保持シート１００のうちの連結部１１０と折目線を介さずに連続している。
【００３０】
なお、図１においては単に実線で示しているが、立体物形成シート１０の挿入片部１２Ａ及び１４Ｂと連結部１１０との間には、立体物形成シート１０により立体物２６を形成することができるように、外側の一端が開放したスリットが形成されている。
【００３１】
次に、図１に示す立体物保持シート１００は、平板パネル状の表示部１０２と、略三角形状の脚部１０４及び１０６と、を有する。表示部１０２は立体物２６を保持するためのものであり、立体物２６が第一の面Ｓ1（図２参照）側から挿入されて第二の面Ｓ2（図１参照）側に保持するための開口部１０８を有している。
【００３２】
ここで、開口部１０８は、立体物保持シート１００の面の法線方向（図１の紙面に垂直な方向）から、立体物形成シート１０により形成された直方体からなる立体物２６を投影してみた場合（等倍に投影してみた場合）に、立体物２６を示すものとしてみえる図形（即ち、側面部１６を示す長方形）と略同一の大きさ及び形状を有する。ただし、両側の対向する二辺にそれぞれ凸状部分１０８Ａ及び１０８Ｂを有している。
【００３３】
脚部１０４及び１０６は、組立後の組立式立体広告具１に自立機能を持たせるためのものであり、山折線を介して表示部１０２に連続している。また、脚部１０４及び１０６のうちの表示部１０２側とは反対の側には、それぞれ、脚部１０４及び１０６とを交差させて嵌め込んで固定するためのスリット１０４Ａ及び１０６Ａを介して端部１０４Ｂ及び１０６Ｂまで延びている。
【００３４】
なお、立体物形成シート１０のうちの連結部１１０は、上記のように立体物形成シート１０を立体物保持シート１００に連結させるとともに、組立時に、立体物形成シート１０により形成される立体物２６を開口部１０８へと誘導するためのものであり、立体物形成シート１０のうちの側面部１４と折目線を介さずに連続しており、表示部１０２と山折線Ｘを介して連続している。
【００３５】
ここで、本実施の形態においては、立体物２６及び開口部１０８が、折目線Ｘに対して線対称に傾斜している。より具体的には、折目線Ｘの線方向Ｄ1に対して、立体物形成シート１０のうちの側面部２０と側面部１６との間の山折線及び側面部２２と側面部１６との間の山折線の線方向Ｄ2が傾斜しているとともに、開口部１０８のうちの凸状部分１０８Ａ及び１０８Ｂを有しない二辺の線方向Ｄ3も傾斜しており、線方向Ｄ1と線方向Ｄ2とがなす角度と、線方向Ｄ1と線方向Ｄ3とがなす角度と、が略同一である。
【００３６】
また、脚部１０４及び１０６のうちの立体物形成シート１０側に位置する辺の線方向Ｄ4及びＤ5は、それぞれ折目線Ｘの線方向Ｄ1に対して、図１において左右対称となるように、略同一の角度で傾斜しており、組立後の組立式立体広告具１（特に表示部１０２）は設置面に対してこの角度をもって自立することができる。
【００３７】
次に、本実施の形態の組立式立体広告具１の組立方法について説明する。まず、図１における立体物形成シート１０の各山折線を山折りし、直方体からなる立体物２６を形成する。このとき、挿入片部１４Ａ、１４Ｂ、１８Ａ、１８Ｂ、２０Ａ及び２２Ａは、それぞれ立体物２６の内部に挿入され、挿入片部１８Ｃはスリット２４Ａに挿入される。
【００３８】
これによって、図２に示すように、立体物２６の立体形状が保持される。なお、図２は、図１に示す組立式立体広告具１のうちの立体物形成シート１０により直方体からなる立体物２６を形成した後の組立式立体広告具１を、裏返した場合にみえる斜視図に相当する。したがって、図２において、折目線Ｘは谷折線であり、脚部１０４と表示部１０２との間の折目線及び脚部１０６と表示部１０２との間の折目線も谷折線である。
【００３９】
ついで、折目線（谷折線）Ｘを谷折りすることによって、立体物２６を連結部１１０とともに、矢印Ｙの方向に移動させ、立体物２６を開口部１０８に挿入させて嵌め込む。このとき、開口部１０８の両側面に位置する凸状部分１０８Ａ及び１０８Ｂが、それぞれ立体物２６のうちの側面部１２のスリット２４Ａ及び２４Ｂに入り込み、側面部１２のスリット２４Ａ及び２４Ｂの両外側に位置する凸状部分、並びに側面部１２に設けられた延長部分１２Ｂが、それぞれ表示部１０２の第一の面Ｓ1に当接する。
【００４０】
これにより、立体物２６の表示部１０２の第一の面Ｓ1に対する位置決めがなされることになり、図３に示すように、立体物２６の略全体が、立体物保持シート１００のうちの表示部１０２の第二の面Ｓ２側に確実かつ綺麗に保持されることになる。
【００４１】
最後に、脚部１０４及び１０６を、表示部１０２との間の谷折線に沿って谷折りし、スリット１０４Ａとスリット１０６Ａとを交差させて嵌め込む。これによって、図３に示すように、商品を象った立体物２６をＰＯＰディスプレイに用いる場合に、表示部１０２と立体物２６とを両面テープや接着剤等で貼付する必要がなく、表示部１０２及び立体物２６の組立や表示部１０２と立体物２６との接続が簡便であり、接続時に立体物２６の方向を間違えることがなく、部品数も少なく取扱いが容易である自立可能な組立式立体広告具１が得られる。
【００４２】
以上、本考案の代表的な実施の形態について説明したが、本考案はこれらのみに限定されるものではなく、実用新案登録の請求の範囲に記載された本考案の技術的思想の範囲内で種々の設計変更をすることが可能である。例えば、立体物の形状は上記の直方体に限定されるものではないし、表示面に対する立体物の傾斜角度も図１〜図３に示す角度に限定されるものではない。また、脚部１０４及び１０６の立体物形成シート側の辺の傾斜角度（即ち、組立後の組立式立体広告具のうちの表示部と接地面との傾斜角度）も図１〜図３に示す角度に限定されるものではない。
【００４３】
上記実施の形態の変形例としては、例えば、前記立体物形成シートが、前記立体物に破断部分が形成されるように、破断線（例えば、連続又は不連続のミシン目等）を有していてもよい。破断部分の位置は立体物のいずれの一部でもよいし、破断部分の形状は円形や矩形、その他立体物の角部等を立体的に切り欠くような形状であってもよい。また、破断片が、完全に立体物から切り離されるような構成を採用してもよいし、破断片の一部が立体物に連結したままで折り返して開いたり閉じたりできるような構成を採用してもよい。
【００４４】
このような構成によれば、組立後の組立式立体広告具のうちの立体物の一部を切り欠いた状態にすることができ、例えば立体物の内側に物品のサンプルを入れておき、顧客がその一部を外側から見たり手に取ったりすることが可能である。
【００４５】
また、上記実施の形態においては、第二の面のみに印刷画像を有する場合について説明したが、第一の面にも印刷画像を有していてもよい。
【００４６】
このような構成によれば、顧客は、組立後の組立式立体広告具をいずれの方向から見ても文章やデザインを目にすることができ、広告宣伝効果が高まることが期待できる。特に、上記のように破断部分を設けた場合には、立体物の内側の面や破断片の裏側の面にも印刷画像を設けることができ、顧客に対する広告宣伝効果の更なる高まりが期待できる。
【産業上の利用可能性】
【００４７】
本考案の組立式立体広告具は、例えば、化粧品用箱や、ルーター、フロッピーディスク（登録商標）ドライブ、ハードディスクドライブ又はハブ等、直方体又は立方体の形状を有する商品又はこれらのパッケージ等、様々な形状を有する商品又はパッケージを象った立体物を効果的に広告宣伝するために好適に用いることができる。
【符号の説明】
【００４８】
１・・・組立式立体広告具、
１０・・・立体物形成シート、
１２、１４、１６、１８、２０、２２・・・側面部、
１２Ａ、１４Ａ、１４Ｂ、１８Ａ、１８Ｂ、１８Ｃ、２０Ａ、２２Ａ・・・挿入片部、
１２Ｂ・・・延長部分、
２４Ａ、２４Ｂ・・・スリット、
２６・・・立体物、
１００・・・立体物保持シート、
１０２・・・表示部、
１０４，１０６・・・脚部、
１０４Ａ、１０６Ａ・・・スリット、
１０４Ｂ、１０６Ｂ・・・端部、
１０８・・・開口部、
１０８Ａ、１０８Ｂ・・・凸状部分、
１１０・・・連結部、
Ｓ1・・・第一の面、
Ｓ2・・・第二の面。
【図１】
0003152289.tif 000003
【図２】
0003152289.tif 000004
【図３】
0003152289.tif 000005